(57)【要約】  【課題】  本発明の目的は、撮影画像の確認にファインダーを用いずに被写体の画像を撮影する場合にも撮影者情報を取得できる新たな手法によるデジタルカメラを安価に提供することである。  【解決手段】  夫々撮影レンズと撮像素子と画像処理部とを含む第１の撮影部及び第２の撮影部と、第１の撮影部による撮影を指示する撮影指示部と、第１の撮影部で撮影した被写体画像の画像データファイルを記録する記録部と、制御部とを備え、制御部は、撮影指示部からの撮影指示信号入力に応じて、第１の撮影部に第１の画像を撮影させると共に第２の撮影部に第２の画像を撮影させ、記録部に第２の画像に関連する情報を第１の画像の画像データファイルと関連付けて記録させるデジタルカメラとした。【選択図】        図２
2007110261.tif 000002
【特許請求の範囲】
【請求項１】
第１の撮影レンズと第１の撮像素子と第１の画像処理部とを含み第１の画像を撮影する第１の撮影部と、
第２の撮影レンズと第２の撮像素子と第２の画像処理部とを含み第２の画像を撮影する第２の撮影部と、
前記第１の撮影部による撮影を指示する撮影指示部と、
前記第１の撮影部で撮影した画像の画像データファイルを記録する記録部と、
制御部とを備え、
前記制御部は、前記撮影指示部からの撮影指示信号入力に応じて、前記第１の撮影部に第１の画像を撮影させると共に前記第２の撮影部に第２の画像を撮影させ、前記記録部に前記第２の画像に関連する情報を前記第１の画像の画像データファイルと関連付けて記録させることを特徴とするデジタルカメラ。
【請求項２】
請求項１に記載のデジタルカメラにおいて、
前記制御部は、前記第２の画像の画像データファイルを前記記録部に記録すると共に、前記第２の画像の画像データファイルを示す情報を前記第１の画像データファイルのヘッダ部に記録することを特徴とするデジタルカメラ。
【請求項３】
請求項１に記載のデジタルカメラにおいて、
前記制御部は、前記第２画像の画像データを前記第１の画像データファイルのヘッダ部に記録することを特徴とするデジタルカメラ。
【請求項４】
請求項１に記載のデジタルカメラにおいて、
前記第２の画像処理部は、前記第２の画像に基づいてより画像サイズの小さい縮小第２画像を作成し、
前記制御部は、前記縮小第２画像の画像データを前記第１の画像データファイルのヘッダ部に記録することを特徴とするデジタルカメラ。
【請求項５】
請求項１に記載のデジタルカメラにおいて、
前記第２の撮影部は、カメラ付き携帯電話のカメラユニットであることを特徴とするデジタルカメラ。
【請求項６】
請求項１に記載のデジタルカメラにおいて、
人の顔の特徴量と前記人の属性情報とを関連付けた顔データベースと、入力された顔画像に基づいて前記顔画像の顔の特徴量を求めると共に前記顔データベースを参照して該当する特徴量の人の属性情報を出力する顔認識部とを更に備え、
前記制御部は前記第２の画像を前記顔認識部に入力すると共に前記顔認識部の出力を前記第１の画像の画像と関連付けて記録することを特徴とするデジタルカメラ。
【請求項７】
請求項１に記載のデジタルカメラにおいて、
人の顔の特徴量と前記人の属性情報とを関連付けた顔データベースと、入力された顔画像に基づいて前記顔画像の顔の特徴量を求めると共に前記顔データベースを参照して該当する特徴量の人の属性情報を出力する顔認識部とを更に備え、
前記制御部は前記第２の画像を前記顔認識部に入力すると共に前記顔認識部の出力を受け、前記顔認識部の出力に応じて対応する画像収納先に前記第１の画像を収納することを特徴とするデジタルカメラ。
【請求項８】
請求項１に記載のデジタルカメラにおいて、
更に、前記第１の撮影部が撮影した画像を表示する表示部が、前記第２の撮影部が撮影する方向から観察可能に設けられていることを特徴とするデジタルカメラ。
【請求項９】
請求項１又は請求項８に記載のデジタルカメラにおいて、
前記第１の撮影部と前記第２の撮影部とは、ほぼ反対方向を夫々撮影するように設けられていることを特徴とするデジタルカメラ。
【請求項１０】
請求項８又は請求項９に記載のデジタルカメラにおいて、
前記制御部は、前記第２の画像を撮影するとき、前記表示部の輝度を上げることを特徴とするデジタルカメラ。
【請求項１１】
請求項１に記載のデジタルカメラにおいて、
前記制御部は、前記第１の撮影部に連続して撮影させる連写モードを有し、
前記連写モードでは、１回の連写について前記第２の画像を１画像だけ撮影し、前記第１画像の各画像と、前記連写で撮影した前記第２の画像を関連付けて記録することを特徴とするデジタルカメラ。
【請求項１２】
請求項１又は請求項１１に記載のデジタルカメラにおいて、
前記撮影指示部は、前記撮影指示信号に先立ち撮影準備信号を出力し、
前記制御部は、前記撮影準備信号に基づいて前記第２の画像を撮影することを特徴とするデジタルカメラ。
【請求項１３】
請求項１又は請求項１１に記載のデジタルカメラにおいて、
前記撮影指示部は、前記撮影終了信号を出力し、
前記制御部は、前記撮影終了信号に前記第２の画像を撮影することを特徴とするデジタルカメラ。
【請求項１４】
公衆無線電話通信網と無線通信し無線電話を可能とする電話機能部と、画像撮影部とからなり、
前記画像撮影部は、
第１の撮影レンズと第１の撮像素子と第１の画像処理部とを含み第１の画像を撮影する第１の撮影部と、
第２の撮影レンズと第２の撮像素子と第２の画像処理部とを含み第２の画像を撮影する第２の撮影部と、
前記第１の撮影部による撮影を指示する撮影指示部と、
前記第１の撮影部で撮影した画像の画像データファイルを記録する記録部と、
制御部とを備え、
前記制御部は、前記撮影指示部からの撮影指示信号入力に応じて、前記第１の撮影部に第１の画像を撮影させると共に前記第２の撮影部に第２の画像を撮影させ、
前記記録部に前記第２の画像に関連する情報を前記第１の画像の画像データファイルと関連付けて記録することを特徴とするカメラ付き携帯電話。
【発明の詳細な説明】
【技術分野】
【０００１】
本発明はデジタルカメラに関し、特に画像を撮影した撮影者に関する撮影者情報を記録するデジタルカメラに関する。
【背景技術】
【０００２】
デジタルカメラでは、大量に撮影しても撮影に要する費用はあまり増加しないこともあり、大量の画像が撮影される傾向がある。大量に撮影され保管された画像を活用し楽しむためには、所望の画像の画像データを容易に取り出すことが出来るよう、保管されている画像データを適切な方法で整理・保管することが重要である。
【０００３】
画像データの整理・保管のために、各画像に属性を付与することが行われている。前記属性には、例えば撮影日時、露出条件を含む撮影条件などがある。ＧＰＳなどの位置検出装置を備えるデジタルカメラであれば撮影場所も前記属性とすることができるが、とりわけ、画像の撮影者を示す撮影者情報は重要な前記属性である。
【０００４】
デジタルカメラによる画像撮影時に撮影者情報を自動的に取得するデジタルカメラとして特許文献１、特許文献２などが公知である。
特許文献１には、デジタルカメラのシャッター釦にシャッター釦を押下する指の指紋を読み取る指紋検出部を設け、読み取った指紋に基づいて、対応する画像フォルダに撮影された画像を記録する。
【特許文献１】特開2004-171488  特許文献２には、デジタルカメラのファインダー接眼部にファインダーを覗く眼球の虹彩パターンを読み取る虹彩パターン検出部を設け、読み取った虹彩パターンに基づいてファインダを覗いている人物、即ち撮影者の属性情報を撮影された画像に記録する。
【特許文献２】特開2004-23733  特許文献３には、蓄積記録された画像中の人の顔を識別し、撮影された人ごとに異なるファイルホルダに整理・記録する画像観賞装置が開示されている。
【特許文献３】W2O05-031612  また、特許文献４には、デジタルカメラ付き携帯電話の筐体の第１表面に第１のカメラを搭載すると共に、当該第１の表面の裏側の第２の表面にも第２のカメラを搭載し、撮影するカメラを選択する選択手段を設ける事が開示されている。このことにより、カメラ付き携帯電話を手に持ったまま、第１のカメラで自分の顔を撮影したり、第２のカメラで自分が見ている風景を撮影したり、両者を同時に撮影することができる。また、第１のカメラと第２のカメラで撮影したそれぞれの画像を合成する合成手段も備え、両者を合成した合成写真を撮影したり、撮影後に合成することができるとの開示がある。
【特許文献４】特開2004-147048
【発明の開示】
【発明が解決しようとする課題】
【０００５】
特許文献１や特許文献２に記載のデジタルカメラの場合には、指紋検出部や虹彩パターン検出部という、画像の撮影には何ら寄与しない新たな機能をデジタルカメラに付加しなければならず、コストアップの一因となる。
【０００６】
また、特許文献２に記載のデジタルカメラでは、ファインダーを接眼レンズから覗くことが必須要件である。ところが、デジタルカメラで画像を撮影する際の撮影画像確認をファインダーによってではなく、撮影される画像を表示した液晶モニターによって行う場合が多い。この場合、特許文献２に記載のデジタルカメラでは撮影者情報を取得することができない。
【０００７】
更に、特許文献４に記載のカメラ付き携帯電話で２つの画像を合成した場合、一方の画像を鑑賞するときに他方の画像が邪魔になるという欠点がある。
本発明の目的は、撮影画像の確認にファインダーを用いずに被写体の画像を撮影する場合にも撮影者情報を取得できる新たな手法によるデジタルカメラであり、被写体画像の鑑賞に何の支障もないデジタルカメラを安価に提供することである。
【課題を解決するための手段】
【０００８】
請求項１に記載の発明は、第１の撮影レンズと第１の撮像素子と第１の画像処理部とを含み第１の画像を撮影する第１の撮影部と、第２の撮影レンズと第２の撮像素子と第２の画像処理部とを含み第２の画像を撮影する第２の撮影部と、前記第１の撮影部による撮影を指示する撮影指示部と、前記第１の撮影部で撮影した画像の画像データファイルを記録する記録部と、制御部とを備え、前記制御部は、前記撮影指示部からの撮影指示信号入力に応じて、前記第１の撮影部に第１の画像を撮影させると共に前記第２の撮影部に第２の画像を撮影させ、前記記録部に前記第２の画像に関連する情報を前記第１の画像の画像データファイルと関連付けて記録させることを特徴とするデジタルカメラである。撮影した画像の整理を容易とすることができる。
【０００９】
前記第２の画像に関連する情報を前記第１の画像の画像データファイルと関連付けて記録するために、前記制御部は、前記第２の画像の画像データファイルを前記記録部に記録すると共に、前記第２の画像の画像データファイルを示す情報を前記第１の画像データファイルのヘッダ部に記録する。又は、前記制御部は、前記第２画像の画像データを前記第１の画像データファイルのヘッダ部に記録する。若しくは、前記第２の画像処理部は、前記第２の画像に基づいてより画像サイズの小さい縮小第２画像を作成し、前記制御部は、前記縮小第２画像の画像データを前記第１の画像データファイルのヘッダ部に記録する。
【００１０】
前記第２の撮影部は、カメラ付き携帯電話のカメラユニットとすることができる。本発明のデジタルカメラを安価に実現できる。
請求項６に記載の発明は、人の顔の特徴量と前記人の属性情報とを関連付けた顔データベースと、入力された顔画像に基づいて前記顔画像の顔の特徴量を求めると共に前記顔データベースを参照して該当する特徴量の人の属性情報を出力する顔認識部とを更に備え、前記制御部は前記第２の画像を前記顔認識部に入力すると共に前記顔認識部の出力を前記第１の画像の画像と関連付けて記録することを特徴とするデジタルカメラである。
【００１１】
請求項７に記載の発明は、人の顔の特徴量と前記人の属性情報とを関連付けた顔データベースと、入力された顔画像に基づいて前記顔画像の顔の特徴量を求めると共に前記顔データベースを参照して該当する特徴量の人の属性情報を出力する顔認識部とを更に備え、前記制御部は前記第２の画像を前記顔認識部に入力すると共に前記顔認識部の出力を受け、前記顔認識部の出力に応じて対応する画像収納先に前記第１の画像を収納することを特徴とするデジタルカメラである。撮影した画像が自動的に撮影者毎に整理される。
【００１２】
請求項８に記載の発明は、更に、前記第１の撮影部が撮影した画像を表示する表示部を、前記第２の撮影部が撮影する方向から観察可能に設けたものである。前記第１の撮影部と前記第２の撮影部とは、ほぼ反対方向を夫々撮影するように設けられている。前記第２の画像を撮影するとき、前記表示部の輝度を上げて撮影者を照明するようにすることができる。
【００１３】
請求項１１に記載の発明は、前記制御部は、前記第１の撮影部に連続して撮影させる連写モードを有し、前記連写モードでは、１回の連写について前記第２の画像を１画像だけ撮影し、前記第１画像の各画像と、前記連写で撮影した前記第２の画像を関連付けて記録することを特徴とするデジタルカメラである。
【００１４】
前記撮影指示部は、前記撮影指示信号に先立ち撮影準備信号を出力し、前記制御部は、前記撮影準備信号に基づいて前記第２の画像を撮影する、或いは、前記撮影指示部は、前記撮影終了信号を出力し、前記制御部は、前記撮影終了信号に前記第２の画像を撮影するようにすることができる。
【００１５】
請求項１４記載の発明は、公衆無線電話通信網と無線通信し無線電話を可能とする電話機能部と、画像撮影部とからなり、前記画像撮影部は、第１の撮影レンズと第１の撮像素子と第１の画像処理部とを含み第１の画像を撮影する第１の撮影部と、第２の撮影レンズと第２の撮像素子と第２の画像処理部とを含み第２の画像を撮影する第２の撮影部と、前記第１の撮影部による撮影を指示する撮影指示部と、前記第１の撮影部で撮影した画像の画像データファイルを記録する記録部と、制御部とを備え、前記制御部は、前記撮影指示部からの撮影指示信号入力に応じて、前記第１の撮影部に第１の画像を撮影させると共に前記第２の撮影部に第２の画像を撮影させ、前記記録部に前記第２の画像に関連する情報を前記第１の画像の画像データファイルと関連付けて記録することを特徴とするカメラ付き携帯電話である。カメラ付き携帯電話のカメラで撮影した画像を容易に整理することができる。
【発明を実施するための最良の形態】
【００１６】
本発明の第１の実施の形態を説明する。図１は本発明を実施したデジタルカメラ１００の外観を示した図である。図１の（Ａ）はデジタルカメラ１００を正面から見た図、（Ｂ）は裏面から見た図である。図２はデジタルカメラ１００の概略構成をブロック図として示した図である。図１及び図２を参照して本発明の第１の実施の形態を説明する。図１と図２において、対応する構成には同じ符号を付してある。
【００１７】
デジタルカメラ１００は第１の撮影部１０と第２の撮影部２０と液晶表示部３１と記録部３２と制御部３３とデジタルカメラ１００を操作するための各種操作釦や操作スイッチ等の操作部とを有する。制御部３３はデジタルカメラ１００の電気的及び電子的な動作や各種処理の全体を制御する。デジタルカメラ１００は市販されているデジタルカメラが通常備えている各種の機能を備えており、所望の機能に対応する操作部を操作したり、液晶表示部３１に表示された各種機能から所望の機能を選択することによって所望の機能を実行させることができる。
【００１８】
前記操作部には、例えば、デジタルカメラ１００の電源スイッチや、デジタルカメラ１００の動作モードを画像を撮影する撮影モードや撮影し記録した画像を再生して液晶表示部３１に表示する再生モードとする動作モード選択スイッチ、撮影レンズの焦点距離を変化させるズーム操作スイッチ、オートフォーカス（ＡＦ）や自動露出制御（ＡＥ）の対象とするエリアを選択するエリア選択スイッチなどが含まれる。更には、液晶表示部３１に表示されたメニューから選択連写撮影モードや動画撮影モードを選択することもできる。
【００１９】
記録部３２は挿脱可能な記憶媒体、例えばコンパクトフラッシュ（登録商標）カードメモリ（ＣＦメモリ）やＳＤカードメモリと前記各記録媒体に対しデータを読み書きする読み書き装置とで構成されている。
【００２０】
第１の撮影部１０は撮影レンズ１１、撮像素子１２、Ａ/Ｄ変換部１３、画像処理部１４から成る。撮像素子１２の画素数は２００万画素から数百万画素程度であることが多いがこれに限定されるものではない。第２の撮影部２０は撮影レンズ２１、撮像素子２２、Ａ/Ｄ変換部２３、画像処理部２４とから成る。撮像素子２２の画素数は数十万画素から百万画素程度であることが多いがこれに限定されるものではない。通常、第２の撮影部２０の撮像素子２２の画素数は第１の撮影部１０の撮像素子１２よりも少ない。
【００２１】
第１の撮影部１０は、被写体の画像を撮影するための撮影モードにおいて、撮影レンズ１１によって撮像素子１２上に生成された被写体２００の像をＡ/Ｄ変換部１３によってデジタル信号化し画像処理部１４によって画像化する。画像化された第１の撮影部１０による画像は液晶表示部３１に表示される。デジタルカメラ１００の筐体の一つの面に第１の撮影部１０の撮影レンズ１１がその光軸方向を前記面とほぼ垂直にして設けられている。前記筐体の撮影レンズ１２が設けられた面とは反対側の面に液晶表示部３１が設けられている。
【００２２】
撮影モードにおいては、液晶表示部３１は撮像素子１２上に形成された画像がリアルタイムに表示される。従って、撮影者は、撮影レンズ１１を被写体２００に向け自身の体から数十センチメートル離して構えたデジタルカメラ１００の液晶表示部３１に表示される画像を観察することにより、撮影する画像の状態を確認することができる。即ち、液晶表示部３１はデジタルカメラ１００のファインダとして用いられる。
【００２３】
前記操作部の一つであるシャッタ釦１５を押下するとシャッタスイッチ４１からシャッタ信号が制御部３３に発信され、制御部３３はシャッタ信号が入力された時の第１の撮像部１０による画像を記録部３２に記録する。
【００２４】
デジタルカメラ１００の液晶表示部３１が設けられた面には、第２の撮影部２０の撮影レンズ２１が設けられている。撮影レンズ２１の光軸方向は撮影レンズ１１の光軸方向と大略反対方向である。従って、被写体を撮影しようとしてデジタルカメラ１００を前記の如く構えると、第２の撮影部２０の撮影レンズ２１によって撮影者３００の像が撮像素子２２上に形成され、Ａ/Ｄ変換部２３によってデジタル信号化され画像処理部２４によって画像化される。撮影レンズ２１の光軸方向及び撮影視野は、第１の撮影部１０によって撮影するためにデジタルカメラ１００を構えたときに撮影者の顔部分が撮影されるように設定されている。
【００２５】
第２の撮影部２０で撮影した画像は鑑賞用ではなく、そこに写っている人物が識別可能であれば良いので、第２の撮影部２０の解像度や光学性能は第１の撮影部１０の解像度や光学性能ほどは必要がない。画像サイズも小さくて良い。なお、前記人物の識別は、目視観察で識別する場合と顔認識ソフトウェアを用いて自動的に行う場合とがあるが、夫々の場合で最低限必要な解像度等は異なる。
【００２６】
ところで、カメラ付き携帯電話が市販されている。カメラ付き携帯電話には撮影レンズ、撮像素子、Ａ／Ｄ変換部、画像処理部で構成されたカメラユニットが組み込まれている。最近は、カメラ付き携帯電話のカメラユニットの性能が向上し、上記第２撮影部２０に必要な解像度、光学性能を満たすものが多い。従って、カメラ付き携帯電話用のカメラユニットを第２の撮影部２０として使用しても良く、特に主表示装置と同じ面に設けられた自分撮り用カメラユニットを好適に使用することができる。なお、第２の撮影部２０の画像処理部２４は第１の撮影部１０の画像処理部１４が兼ねるようにすることもできる。
【００２７】
制御部３３は、シャッタ信号が入力されたときの第２の撮影部２０による画像（以下、第２画像という）の画像データ（以下、第２画像データという）を、第１の撮影部１０による画像（以下、第１画像という）の画像データ（以下、第１画像データという）と関連付けて記録部３２に記録する。即ち、シャッタ釦１５が押下されると、第１画像としての被写体の画像と、第２画像としての撮影者の顔部分の画像とが生成され、夫々の画像データが互いに関連付けられて記録部３２に記録される。即ち、第２画像は第１画像の撮影者情報として関連付けられ、撮影者が誰であるかを確認するための情報として記録される。
【００２８】
図３は、デジタルカメラ１００で撮影した画像を記録した画像データファイルの構造を概念的に示した図である。画像データファイル３００は画像データ本体部３２０とヘッダ部３１０とから成る。ヘッダ部３１０には、例えば画像データ本体部３２０の画像データの属性を示す属性情報が記録される。画像データファイルの様式を定めたＪＰＥＧ規格には画像データの属性情報として必要性があると思われる多数の項目が規定されている。例えば、ファイル名、撮影日時、使用機材、露出条件、作者、著作権者などである。画像自身のサムネイル画像を含めることもできる。また規定されていない項目を記録するための自由使用領域も規定されている。ファイル名、撮影日時、使用機材、露出条件等は撮影したときにデジタルカメラ１００によって自動的に記録される。
【００２９】
第１画像と第２画像とを関連付ける第１の方法を説明する。記録部３２には図４に示したように第１画像用の第１ホルダ４１０と第２画像用の第２ホルダ４２０とが設けられている。そして、第１ホルダ４１０には被写体を撮影した時に生成される第1画像の画像データファイル４１１が、第２ホルダ４２０には第２画像の画像データファイル４２１が収納される。その際、第１画像の画像データファイル４１１のヘッダ部に前記第１画像に対応する第２画像の画像データファイル４２１を示す情報、例えば第２画像データのファイル名（図４では「ＤＳＣ２００１」）が記録される。前記第２画像の画像データファイルを示す情報は第１画像の撮影者情報である。ヘッダ部の自由使用領域に新たに項目「撮影者画像」を設定してここに記録する。前記自由使用領域には新たな項目「撮影者」も設定する。なお、第２画像に関してはファイル名以外の属性情報を記録しないことにより記録容量を節約しても良い。第１ホルダ４１０と第２ホルダ４２０には夫々デジタルカメラ１００で撮影した画像数の第１画像データファイルと第２画像データファイルが記録される。
【００３０】
デジタルカメラ１００の制御部３３の撮影モードにおける処理の流れを図１０によって説明する。図１０は前記処理の流れを示したフローチャートである。図１０の処理はデジタルカメラ１００が撮影モードとされることによって開始される。
【００３１】
ステップＳ１１では、第１の撮影部１０から第１画像を取得して液晶表示部３１に表示する。
ステップＳ１２では、シャッタ釦１５が押下されシャッタスイッチ４１からシャッタ信号が入力されたか否かを判断する。そして、シャッタ信号が入力されるまでステップＳ１１、ステップＳ１２を繰り返す。シャッタ信号が入力されたならばステップＳ１３に進む。
【００３２】
ステップＳ１３では、シャッタ信号が入力された時の第１の画像を一時的に記憶する。
ステップ１４では、デジタルカメラ１００に連写モードが設定されているか否かを判断する。そして、連写モードが設定されていればステップＳ１５に、設定されていなければステップＳ１６に進む。なお、連写モードには動画モードも含まれるものとする。
【００３３】
ステップ１５では、連写を終了させる信号が入力されたか否かを判断し、前記信号が入力されなければステップＳ１５１に進み第１画像を取得してステップＳ１３に戻る。そして、連写を終了させる信号が入力されるまでステップＳ１３〜ステップＳ１５、ステップＳ１５１を繰り返す。前記信号が入力されたらステップＳ１６に進む。連写を終了させる信号はシャッタ釦１５の押下が終了したときにシャッタスイッチ４１から出力される。
【００３４】
ステップＳ１６では、第２の撮影部２０から第２画像を取得する。第２画像を取得する際、液晶表示部３１の明るさを増す、即ち輝度を上げて、撮影者の顔を照明するようにすれば暗い環境下でも適当な画像を撮影することができる。更に輝度を上げている間だけ、液晶表示のバックライトの透過率が上がり照明光が増える表示内容、例えば全面白色の無表示に変えることが好ましい。表示内容の変更のみでも良い。第２画像の取得完了後は元の表示に戻す。第２の撮影部２０に入射する光量を検出して所定光量以下の場合のみ照明するようにしても良い。
【００３５】
ステップＳ１７では、第１画像のヘッダ部に第２画像のファイル名を記録する。連写撮影された場合には連写で撮影された各画像の全てにステップＳ１６で取得された第２画像のファイル名を記録する。
【００３６】
そして、ステップＳ１８において、第１画像を第１ホルダ４１０に、第２画像を第２ホルダ４１０に夫々収納する。
そして、次の撮影に備えて再びステップＳ１１に戻る。
【００３７】
図１０の処理はデジタルカメラ１００が撮影モード以外のモードにされた時に終了する。
なお、図１０では第１画像の取得が終了した後に第２画像を取得したが、例えば、シャッタ釦１５の半押しに応じて第２画像を取得するようにしても良い。第１の撮影部１０の画像処理部１４が第２の撮影部２０の画像処理部２４を兼ねる場合、第２画像を取得したならば直ちに画像処理を開始するが、第１画像が取得されたならば、第１画像の画像処理を優先させ、第２画像の画像処理は中断する。
【００３８】
また、ステップＳ１６の後に、第２画像の合焦状態をチェックし、所定の合焦状態よりもピンボケである場合には、第１画像をそのまま第１ホルダに収納してステップＳ１１に戻る処理を加えても良い。撮影する画像の状態確認を液晶表示部３１によってではなく、図示していない光学式ファインダによって行った場合には第２の撮影部による第２画像は完全なピンボケになり第２画像を記録しても役に立たないので第２画像を第１画像と関連付けたり、第２画像を記録部３２に記録することをせず、記録部３２の記録容量を節約する。
【００３９】
デジタルカメラ１００で撮影、記録された画像の画像データは、鑑賞及び画像蓄積のために画像鑑賞装置に読み込まれ、画像鑑賞装置のハードディスクなどの大容量の記録部に記録される。前記画像データの読み込みには画像読み込み用ソフトウェアが用いられる。画像鑑賞装置の記録部５００には図５に示したように、第１蓄積ホルダ５１０と第２蓄積ホルダ５２０とが設けられている。そして、図４の第１ホルダ４１０の画像データファイル即ち第１画像の画像データファイルは第１蓄積ホルダ５１０に、第２ホルダ４２０の画像データファイル即ち第２画像のデータファイルは第２蓄積ホルダ５２０に記録される。画像鑑賞装置には、専用装置、パーソナルコンピュータ（ＰＣ）等がある。いずれも画像を表示する表示部としてテレビジョンを利用しても良い。画像鑑賞装置には画像鑑賞用ソフトウェアがインストールされている。
【００４０】
図６は前記ソフトウェアによる画像鑑賞画面の構成を示す図である。鑑賞画像を表示する画像表示領域６１０と画像表示領域６１０に表示中の画像の属性情報を表示する属性表示領域６２０と処理指示欄６３０とがある。前記ソフトウェアは第１蓄積ホルダ５１０から第１画像データを読み出してその画像を画像表示領域６１０に表示する。更に、前記第１画像データのヘッダ部から属性情報を読み出して「撮影者画像」欄以外の項目に関しては属性表示領域６２０に表示する。また、「撮影者画像」欄から読み出した情報−−前述した如く第１画像に対応する第２画像の画像データファイル名−−と一致する画像データファイルを第２蓄積ホルダ５２０から読み出し、その画像を属性情報欄６２０の一部の撮影者表示領域６２１に表示する。なお、第２画像を撮影者表示領域６２１に表示するか否かは観賞用ソフトウェアによって選択可能とされている。
【００４１】
処理指示欄６３０には、画像データファイルを整理した状態で保管するために、表示中の画像の画像データファイルの記録先ホルダを指示する複数のホルダ図形６４０と、保管を要しない画像の画像データファイルの消去を指示する消去釦６５０とが表示されている。前記複数のホルダ図形６４０には、画像を撮影者毎に整理するための、「撮影者：太郎」、「撮影者：花子」などという名前のホルダ図形６４１、６４２が含まれている。その他に、例えば撮影対象のイベント名や撮影地などを名前とするホルダ図形６４３、６４４等が含まれている。図５の第１蓄積ホルダ５１０にはホルダ図形６４１の夫々と対応するサブ蓄積ホルダ、例えば各ホルダ図形の名前と同一の名前、例えば「太郎」、「花子」という名前のサブ蓄積ホルダ５１１、５１２が設けられている。
【００４２】
画像表示領域６１０に第１画像を表示させた状態で任意のホルダ図形、例えば「花子」６４２をマウスクリックなどの方法により選択すると、第１蓄積ホルダ５１０にあるサブ蓄積ホルダ「花子」５１２に、画像表示領域６１０に表示中の画像の画像データファイルが収納される。同時に、収納した画像データファイルのヘッダ部の撮影者欄に、該画像データファイルを収納したサブ蓄積ホルダの名前「花子」が記録される。これにより、第１画像が無秩序に収納されている状態にされても撮影者名を検索キーワードとする検索が可能となる。なお、サブ蓄積ホルダの名前をヘッダ部の撮影者欄に記録するときに第２画像を第２蓄積ホルダ５２０から消去しても良い。記録容量が節約できる。画像鑑賞時にはヘッダ部の撮影者欄に記録された撮影者名が属性表示領域６２０に表示されるので支障はない。
【００４３】
消去釦６５０を選択すると表示中の画像の画像データファイルは第１蓄積ホルダ５１０から消去される。同時に、その第１画像データファイルと関連付けられた第２画像データも第２蓄積ホルダ５２０から消去される。
【００４４】
処理指示欄６３０にはホルダ図形「新規作成」６４５がある。ホルダ図形「新規作成」６４５が選択されると、新たなホルダ図形の名前を入力させ、その名前のホルダ図形が新規に追加される。同時に、第１蓄積ホルダ５１０にその名前のサブ蓄積ホルダが新設され、そのサブ蓄積ホルダに画像表示領域６１０に表示中の画像の画像ファイルが収納される。撮影者に対応するサブ蓄積ホルダがない場合には「新規作成」６４５を選択する。
【００４５】
画像鑑賞者は、画像表示領域６１０に表示された第１画像を鑑賞すると共に、撮影者表示領域６２１に表示された第２画像を見て、第１画像の撮影者が誰であるかを確認し、処理指示欄６３０の該当する名前のホルダ図形を選択する。例えば、撮影者が花子であればホルダ図形「花子」６４２を選択する。その結果、画像表示領域６１０に表示中の画像の画像データファイルが対応するサブ蓄積ホルダ「花子」５１２に収納される。かくして、画像は撮影者ごとのサブ蓄積ホルダに整理される。
【００４６】
画像観賞用ソフトウェアによる処理の流れを図１１によって説明する。図１１は前記処理の流れを示したフローチャートである。図１１の処理は画像観賞用ソフトウェアを起動させることにより開始される。
【００４７】
ステップＳ２１では、第１蓄積ホルダ５１０に設けられている全てのサブ蓄積ホルダの名前を検出し、操作指示欄６３０にその名前を付したホルダ図形を表示する。多数のサブ蓄積ホルダがあり操作指示欄６３０に表示しきれない場合には予め定めた優先順位の高いものを表示すると共に、表示されていないホルダ図形を表示させるためのホルダ図形「その他」６４６を表示する。前記優先順位は、例えば選択回数の多い順や任意に定めた順などとする。
【００４８】
ステップＳ２２では、第１蓄積ホルダから第１画像を読み出して画像表示領域６１０に表示する。
ステップＳ２３では、前記第１画像の画像データファイルのヘッダ部の「撮影者画像」欄に記録されている画像データファイル名を読み出す。
【００４９】
ステップＳ２４では、対応する前記読み出した画像データファイル名に基づいて、第２蓄積ホルダ５２０から第２画像を読み出して撮影者表示領域６２１に表示する。そして、操作指示欄６３０に表示したホルダ図形や釦への選択操作を待つ。
【００５０】
ステップＳ２５では、操作指示欄６３０への選択が消去釦６５０か否か、即ち消去指示か否かを判断する。消去指示でない場合はステップＳ２６に進み、消去指示である場合はステップＳ２５１に進む。
【００５１】
ステップＳ２６では、操作指示欄６３０への選択がホルダ図形「新規作成」６４５であるか否かを判定する。そして、「新規作成」６４５でなければステップＳ２７に進み、「新規作成」６４５であればステップＳ２６１に進む。
【００５２】
ステップＳ２６１では、新規に作成するホルダ名を入力させ、その名前のサブ蓄積ホルダを第１蓄積ホルダ５１０に生成すると共に、操作指示欄６３０にその名前を付したホルダ図形を表示してステップＳ２７に進む。
【００５３】
ステップＳ２７では、画像表示領域６１０に表示している画像の画像データファイルを選択されたサブ蓄積ホルダに収納する。ステップＳ２６１において新規のサブ蓄積ホルダを生成した場合にはそのサブ蓄積ホルダに収納する。そして、ステップＳ２２に戻り、次の第１画像に対する処理を継続する。
【００５４】
ステップＳ２５において消去を指示された場合には、ステップＳ２５１において、画像表示領域６１０に表示中の第１画像の画像データファイルを第１蓄積ホルダから消去すると共に、撮影者表示領域６２１に表示中の第２画像の画像データファイルを第２蓄積ホルダから消去する。そして、ステップＳ２２に戻る。
【００５５】
図１１の処理は、操作指示欄６３０に表示された「終了」釦６６０が選択された時に終了する。
なお、第１画像データファイルと第２画像データファイルとが識別可能であれば別々のホルダに分けて記録しなくても良い。例えば、通常、デジタルカメラは記録する画像データファイルに連続したファイル番号を自動的に付す機能を備えている。そこで、撮影毎に、第１画像、第２画像の順に画像データファイルが記録されるようにすれば良い。第１画像の画像データファイルのファイル番号は奇数となり、対応する第２画像の画像データファイルのファイル番号は第１画像の画像データファイルのファイル番号＋１の偶数となる。画像観賞用ソフトウェアは画像データファイルのファイル番号が奇数であるか偶数であるかによりその画像が第１画像か第２画像がを識別することができる。
【００５６】
また、第１画像データファイルは先頭が１である数字を含むファイル名とし、第２画像データファイルは先頭が２である数字を含むファイル名とし、対応する第１画像と第２画像の画像データファイル、夫々のファイル名に含まれる先頭数字に続く数字を同一とするなどの方法でも良い。例えば、第１画像データファイルのファイル名を「ＤＳＣ１００１」、「ＤＳＣ１００２」などとし、これらに対応する第２画像データファイルのファイル名を「ＤＳＣ２００１」、「ＤＳＣ２００２」などとし、画像観賞用ソフトウェアをファイル名に１０００番台の数字を含む画像データファイルを第１画像と認識して上記処理を行わせるようにすれば良い。
【００５７】
第１画像と第２画像とを関連付ける第２の方法を説明する。画像処理部２４で、第２画像データに基づいてサムネイル画像と同程度の画像サイズの縮小第２画像データを作成し、縮小第２画像データを第１画像データファイルのヘッダ部に設けた「撮影者画像」欄に記録する。勿論、記録部３２の記録容量が十分にあれば第２画像データをそのまま「撮影者画像」欄に記録しても良い。なお、記録部３２に第２ホルダを設ける必要はない。
【００５８】
上記第２の方法を採用したデジタルカメラ１００の制御部３３の撮影モードにおける処理の流れを図１２によって説明する。図１２は前記処理の流れを示したフローチャートである。図１２のステップＳ１６までは図１０と同じであるので説明を省略し、図１０と異なるステップＳ１７１、ステップＳ１８１のみを説明する。
【００５９】
ステップＳ１７１では、ステップＳ１６で取得した第２画像に基づいて、その縮小画像を作成する。そしてその縮小画像を第１画像の画像データファイルのヘッダ部の「撮影者画像」欄に記録する。
【００６０】
ステップＳ１８１では、そのヘッダ部に縮小第２画像が記録された第１画像の画像データファイルを記録部３２に記録する。そして、次の撮影に備えて再びステップＳ１１に戻る。
【００６１】
画像蓄積装置は、縮小第２画像データがヘッダ部に記録された第１画像データファイルを読み込んで大容量記録部に記録する。大容量記録部に第２蓄積ホルダを設ける必要はない。
【００６２】
画像観賞用ソフトウェアは、第１画像データを読み出してその画像を画像表示領域６１０に表示する。更に、第１画像データファイルのヘッダ部から縮小第２画像データを読み出してその画像を撮影者表示領域６２１に表示する。
【００６３】
処理指示欄６３０と画像の鑑賞及び整理の手順は第１の方法の場合とほぼ同様である。
画像観賞用ソフトウェアの処理の流れを図１３のフローチャートによって説明する。図１３のフローチャートは図１１のフローチャートのステップＳ２３、ステップＳ２４をステップＳ２３１とし、ステップＳ５２１をステップＳ２５２としたものであり、他の部分は同じであるので、異なる部分のみを説明する。図１１のステップＳ２２に続き、以下の処理を行う。
【００６４】
ステップＳ２３１では、画像表示領域６１０に表示している画像の第１画像データファイルのヘッダ部から縮小第２画像データを読み出して、その画像を撮影者表示領域６２１に表示する。そして、図１１のステップＳ２５以降の処理を継続する。その際、ステップＳ２５２においては、第１画像の画像データファイルを消去する。そのヘッダ部に記録されている縮小第２画像データも消去される。
【００６５】
次に、前記とは異なる機能をもつ画像読み込み用ソフトウェアによってデジタルカメラ１００から画像鑑賞装置に画像データを読み込む場合を説明する。この画像読み込み用ソフトウェアは顔認識部を備える。前記顔認識部は、人の顔を識別するための顔の特徴量を示す情報とその人の属性情報、例えば名前とが対応付けて記録されている顔データベース（顔ＤＢ）（図７参照）と人の顔の特徴量を求める顔分析部とからなる。人の顔を識別するための特徴量には、例えば、両眼の間隔、両眼と鼻との相対位置、顔の輪郭形状などがある。それらを複数組み合わせて顔を識別する技術が公知である。
【００６６】
前記顔認識部は顔画像を読み込んで画像中の人物の顔を分析して顔の特徴量を求め、該求めた特徴量に基づいて顔ＤＢを参照してその人物を識別し、該当する人の属性情報、例えば名前を出力する。
【００６７】
画像読み込み用ソフトウェアは第１画像のデータファイルをデジタルカメラ１００から読み込む時に、第１画像と関連付けられた第２画像の画像データを前記顔認識部に読み込む。
【００６８】
前記第２画像の画像データは、第１画像と第２画像とが第１の方法によって関連付けられている場合には第２ホルダ４２０から読み込まれる。但し、ファイル番号などで第１画像データファイルと第２画像データファイルとを識別している場合には第１ホルダ４１０から読み込まれる場合もある。第２の方法によって関連付けられている場合には第１画像の画像データファイルのヘッダ部から読み込まれる。後者の場合に読み込まれるのは縮小第２画像の画像データである。
【００６９】
そして、前記顔認識部に第２画像の顔の人物の属性情報を求めさせて、その出力に対応するサブ蓄積ホルダに第１画像データファイルを収納する。前記顔認識部の出力は第１画像の撮影者を示す撮影者情報である。その結果、画像データをデジタルカメラ１００から画像鑑賞装置に読み込んだ時に、第１画像データファイルは自動的に撮影者毎に異なるサブ蓄積ホルダに収納される。
【００７０】
画像読み込み用ソフトウェアの処理の流れを図１４のフローチャートによって説明する。
ステップＳ１４１では、デジタルカメラ１００から第１画像とこれに関連付けられた第２画像とを読み込む。
【００７１】
ステップＳ１４２では、読み込んだ第２画像を顔認識部に入力する。
ステップＳ１４３では、顔認識部が第２画像の顔の特徴量を分析し顔ＤＢを参照して求めた、第２画像の顔の人物の属性情報、例えば名前の出力を受ける。
【００７２】
ステップＳ１４４では、受けた属性情報を第１画像の画像データファイルのヘッダ部の「撮影者」欄に記録する。このステップは必須ではないが、後刻の画像鑑賞時に画像鑑賞用ソフトウェアのキーワード検索による検索が可能となり便利である。
【００７３】
ステップＳ１４５では、画像鑑賞装置の第１蓄積ホルダに前記属性情報に対応するサブ蓄積ホルダがあるか否かを判定する。対応するサブ蓄積ホルダがあればステップＳ１４６に進み、なければステップＳ１４５１に進む。
【００７４】
ステップＳ１４６では、前記第１画像の画像データファイルを画像鑑賞装置の第１蓄積ホルダにある前記属性情報に対応するサブ蓄積ホルダに収納する。
ステップＳ１４５１では、新規にサブ蓄積ホルダを作成し前記属性情報と対応させる。そしてステップＳ１４６に進む。ステップＳ１４６では、新規に作成されたサブ蓄積ホルダに第１画像の画像データファイルが収納される。
【００７５】
ステップＳ１４７では、ＤＳＣに未処理画像があるか、即ちまだ画像データが残っているか否かを判定する。そして、残っていればステップＳ１４１に戻り残りの画像について同じ処理を繰り返す。残っていなければ処理を終了する。
【００７６】
前記顔認識部を画像鑑賞用ソフトウェアに設け、画像観賞用ソフトウェアが撮影者毎に整理されていない第１画像データファイルの画像を画像表示領域６１０に表示させるときに、前記顔認識部に第２画像データを読み込んで第２画像の人物を識別させ、その識別結果に応じて第１画像データファイルを撮影者毎のサブ蓄積ホルダに収納すると共に、第１画像データファイルのヘッダ部の「撮影者」欄に撮影者名を記録することもできる。その結果、撮影した画像を鑑賞することにより第１画像データは自動的に撮影者毎にサブ蓄積ホルダを分けた状態に収納される。第１画像データファイルのヘッダ部の「撮影者」欄に撮影者名を記録する時に第２画像データを消去しても良い。
【００７７】
上記のための画像観賞用ソフトウェアによる処理は、図１４に示した処理とほぼ同様であり、図１４のステップＳ１４１の第１画像、第２画像の読み込みをデジタルカメラ１００からではなく、画像蓄積装置の大容量記憶部からとしたものである。
【００７８】
本発明の第２の実施の形態を説明する。図８は本発明の第２の実施の形態のデジタルカメラ１００Ａの概略構成をブロック図で示した図である。図８は図２の構成に顔認識部５１を加えたものである。顔認識部５１は顔データベース（顔ＤＢ）（図７参照）５２と顔分析部５３とからなる。図２と同じ構成には同一の符号を付して説明を省略する。顔ＤＢ５２には人の顔を識別するための顔の特徴量を示す情報とその人の属性情報、例えば名前とが対応付けて記録されている。顔を識別するための特徴量には、例えば、両眼の間隔、両眼と鼻との相対位置、顔の輪郭形状などがある。それらを複数組み合わせて顔を識別する技術が公知である。
【００７９】
顔認識部５１はリアルタイムの第１画像を読み込んで画像中に含まれる人の顔を検出しその特徴量を求めると共に顔ＤＢ５２を参照して前記第１画像に撮影されている人物を識別し該当する人の属性情報、例えば名前を制御部３３に出力する。前記属性情報は前記第１画像に撮影されている人物を示す情報である。制御部３３は液晶表示部３１に表示した第１画像に前記属性情報を重畳させて表示し、シャッタ釦４１の押下に応じて、その時の第１画像を記録部３２に記録すると共に前記属性情報を前記第１画像と関連付けて記録部３２に記録する。例えば、前記属性情報を第１画像の属性データとして第１画像の画像データファイルのヘッダ部に記録する。前記属性情報は画像鑑賞時に所望の人物が撮影されている画像を検出するための検索情報として用いられる。
【００８０】
更に、顔認識部５１は第１画像の撮影時に撮影された第２画像を読み込み、顔ＤＢ５２を参照して第２画像に撮影されている人物を識別し該当する人の属性情報を第１画像と関連付けて記録部３２に記録する。例えば、記録部３２に、予測される撮影者ごとのホルダをあらかじめ作成しておき、顔認識部５１が求めた第２画像の人物の属性情報と一致するホルダにその第１画像を記録する。或いは、第２画像の人物の名前を第１画像の画像データのヘッダ部に記録する。
【００８１】
なお、顔ＤＢ５２は、第１画像に撮影された人物を識別するためのデータベースとしても、第２画像に撮影された人物を識別するためのデータベースとしても使用される。顔ＤＢ５２には撮影者用参照ホルダが設けられており、第２画像に対してはこのホルダが優先的に参照される。撮影者はある程度限定されていることが多いので、このようにすることによりデータベース参照時間が短縮できる。撮影者用参照ホルダ中に該当するデータが見い出されない場合には顔ＤＢ部５２全体が参照される。
【００８２】
画像データの記録様式がＪＰＥＧであればＪＰＥＧ規格に規定された自由使用領域に専用の項目「撮影者」を設け、そこに記録する。ＪＰＥＧ規格に規定された項目の「作者」、「著作権者」の欄に記録しても良い。
【００８３】
その結果、撮影された人物の属性情報と撮影者の属性情報とが関連付けられた第１画像の画像データファイルが記録部３２に記録される。即ち、第１画像には、第１画像に撮影されている人の属性情報と第２画像に撮影されている人の属性情報とが関連付けられる。前者（第１画像に撮影されている人の属性情報）は被写体情報であり、後者（第２画像に撮影されている人の属性情報）は撮影者情報である。
【００８４】
デジタルカメラ１００Ａの制御部３３の撮影モードにおける処理の流れを図１５に示したフローチャートによって説明する。前記処理の流れは図１０に示したフローチャートのステップＳ１７、ステップＳ１８の処理を図１５に示した処理に変更したものである。図１０のフローチャートと異なる、図１５に示した処理のみを説明する。
【００８５】
ステップＳ１７１では、顔認識部により第２画像の顔の特徴量を求めると共に顔ＤＢを参照し、顔ＤＢに前記求めた特徴量に該当する顔があるか否かを判定する。該当する顔があればステップＳ１７２に進み、なければステップＳ１７７１に進む。
【００８６】
ステップＳ１７２では、ステップＳ１６で取得した第２画像の顔の人物の属性情報を前記顔認識部によって求める。顔認識部による前記属性情報の求め方は前述の通りである。
ステップＳ１７３では、求めた属性情報を第１画像の画像データファイルのヘッダ部の「撮影者」欄に記録する。このステップは必須ではないが、後刻の画像鑑賞時に画像鑑賞用ソフトウェアのキーワード検索による検索が可能となり便利である。
【００８７】
ステップＳ１７４では、前記第１画像の画像データファイルを第１ホルダ４１０に予め予測される撮影者毎に用意されたサブホルダのうち、求めた属性情報に対応するサブホルダに収納する。
【００８８】
この処理にステップＳ１７３を含めた場合には、ステップＳ１７４は第１画像データファイルをサブホルダに収納せずに記録部３２に記録するようにしても良い。
そして、ステップＳ１１に戻り、次の撮影に備える。
【００８９】
ステップＳ１７１において、顔ＤＢに第２画像の顔の特徴量に該当する顔がなかった場合の処理、ステップＳ１７１１では、第２画像の顔の人物の属性情報、例えば名前を入力させる。
【００９０】
ステップＳ１７１２では、前記属性情報の入力要求に対して有効な入力がなされたか否かを判定する。空欄のまま入力された場合は無効と判定する。有効な入力であった場合はステップＳ１７１３に進み、無効な入力であった場合はステップＳ１７１４に進む。
【００９１】
ステップＳ１７１３では、前記第２画像の顔の特徴量と前記入力された属性情報とを顔ＤＢに記録する。そして、ステップＳ１７３に進む。
ステップＳ１７１４では、第２画像を第１画像と関連付ける。関連付けの方法は既に説明したいずれの方法で良い。そして、ステップＳ１７４に進む。この場合、ステップＳ１７４では、前記第１画像をサブ蓄積ホルダ「属性情報なし」に収納する。
【００９２】
かくして、撮影した各第１画像の画像データファイルには撮影者の属性情報が撮影者情報として自動的に記録される。更に撮影者毎に整理されて記録部３２に記録される。
このようにして、撮影者情報と関係付けられた第１画像は、関係付けられた撮影者情報と共に画像鑑賞装置、例えばパーソナルコンピュータ（ＰＣ）に読み込まれ、その大容量記録部に記録される。画像鑑賞装置には画像鑑賞用ソフトウェアがインストールされており、該ソフトウェアによって第１画像が表示部に表示され閲覧者の鑑賞に供される。
【００９３】
前記第１画像を鑑賞するために画像観賞用ソフトウェアで行われる処理の流れを図１６に示したフローチャートによって説明する。画像観賞用ソフトウェアが起動されると、
ステップＳ１６１で、鑑賞しようとしている第１画像の画像ファイルのヘッダ部を読み込む。
【００９４】
ステップＳ１６２では、前記ヘッダ部に含まれている「撮影者」欄に情報があるか否かを判定する。情報があればステップＳ１６３に進み、なければステップＳ１６６に進む。デジタルカメラ１００Ａで撮影された第１画像の画像データファイルの「撮影者」欄には、通常、顔認識部５１によって撮影者情報が記録されている。
【００９５】
ステップＳ１６３では、「撮影者」欄の情報に対応する画像データファイルが記録部３２にあるか否かを判定する。なければステップＳ１６４に進み、あれば図１１のステップＳ２１に進んで、図１１の処理を行う。但し、ステップＳ２７又はステップＳ２５１から図１６に戻りステップＳ１６６に進む。
【００９６】
ステップＳ１６４では、第１蓄積ホルダ５１０の第１画像を画像表示領域６１０に表示する。
ステップＳ１６５では、前記第１画像の画像ファイルのヘッダ部の撮影者欄に記録されている撮影者の属性情報を属性情報表示領域６２０に表示する。
【００９７】
ステップＳ１６６では、次の第１画像を表示させる指示の入力を待ち、入力があったらステップＳ１６１に戻る。
ステップＳ１６２で、「撮影者」欄に情報がなかった場合の処理、ステップＳ１６７では、前記ヘッダ部の「撮影者画像」欄に情報があるか否かを判定する。そして、情報がない場合はステップＳ１６６に進む。適宜の方法で撮影者情報を入力させると共に入力された情報を前記ヘッダ部の「撮影者」欄に記録するステップを間に追加しても良い。
【００９８】
「撮影者画像」欄に情報がある場合は図１３のステップＳ２１へ進んで、図１３の処理を行う。但し、ステップＳ２７又はステップＳ２５２から図１６に戻りステップＳ１６４に進む。
【００９９】
第３の実施の形態の例を説明する。第３の実施の形態の例においては、第２の実施の形態の例の構成から顔ＤＢ５２が除かれてい。顔認識部５１は第１画像及び第２画像の顔の特徴量を求めて夫々の画像データファイルのヘッダ部に記録する。ＪＰＥＧで定められた自由使用領域に新項目「顔の特徴量１」、「顔の特徴量２」を設けて第１画像の顔の特徴量を「顔の特徴量１」に、第２画像の顔の特徴量を「顔の特徴量２」に記録する。
【０１００】
そして、画像鑑賞装置に顔ＤＢ５２を持たせ、デジタルカメラから画像鑑賞装置画像への画像データ読み込み用ソフトウェア又は画像鑑賞装置に読み込んだ画像データの画像を表示させる画像鑑賞用ソフトウェアにおいて、第１画像及び第２画像の顔の特徴量に基づいて顔ＤＢ５２を参照し、前記画像中の人物の名前などの属性情報を特定する。それ以降の処理は第２の実施の形態の例と同様である。デジタルカメラに顔ＤＢ５２を持つ必要がないのでデジタルカメラの負担が小さい。
【０１０１】
また、デジタルカメラにおいて、「顔の特徴量２」に記録する特徴量毎に第１画像の画像データファイルの収納先を分けるようにすることもできる。顔認識機能を有する画像読み込み用ソフトウェアや画像観賞用ソフトウェアを用いなくても、画像を撮影者毎に整理した状態で画像鑑賞装置に記録できる。
【０１０２】
第４の実施の形態の例を説明する。第４の実施の形態の例はカメラ付き携帯電話に、上記第１の実施の形態の例又は第３の実施の形態の例の機能を付加したものである。図９に第４の実施の形態の例のカメラ付き携帯電話の外観を示す。図９の（Ａ）は、折りたたみ可能なカメラ付き携帯電話９０を開いた状態を示している。図９の（Ｂ）は（Ａ）のカメラ付き携帯電話９０を矢印Ａの方向から見た図である。９１は第１の撮影部である。撮影レンズのみが見えている。９２は液晶表示部であり第1の撮影部９１が捕らえた画像が表示される。液晶表示部９２は撮影部９１による撮影時のファインダとして、及び撮影した画像の確認・鑑賞用として用いられる。９３は第２の撮影部である。撮影レンズのみが見えている。  液晶表示部９２と第２の撮影部９３の撮影レンズとはカメラ付き携帯電話９０の筐体の同じ面に同じ方向に向けて設けられている。第１の撮影部９１は、前記筐体の液晶表示部９２と第２の撮影部９３の撮影レンズとが設けられた面の裏面に第２の撮影部９３の撮影レンズの方向とは逆方向に向けて設けられている。９４はカメラ付き携帯電話９０を携帯電話として使用するための操作部である。
【０１０３】
さて、上記第１の実施の形態の例又は第３の実施の形態の例の機能のいずれも、カメラ付き携帯電話の撮影機能を制御するソフトウェアを一部変更することにより実現できる。第２の実施の形態の例の機能を付加する場合、前記ソフトウェアの変更には顔認識部の追加が含まれる。更に顔ＤＢ５２の追加も含まれることもある。
【図面の簡単な説明】
【０１０４】
【図１】本発明を実施したデジタルカメラの外観を示す図。
【図２】図１のデジタルカメラの概略構成を示すブロック図。
【図３】画像データファイルの概略構成を示す図。
【図４】記録部のホルダ構成を示す図。
【図５】画像鑑賞装置の大容量記憶部のホルダ構成を示す図。
【図６】画像鑑賞装置の表示画面の構成を示す図。
【図７】顔データベースの構成を示す図。
【図８】図１のデジタルカメラの別の概略構成を示すブロック図。
【図９】本発明を実施したカメラ付き携帯電話の外観を示す図。
【図１０】図２のデジタルカメラにおける処理の流れを示すフローチャート。
【図１１】図２のデジタルカメラによる画像を鑑賞するための画像鑑賞装置における処理の流れを示すフローチャート。
【図１２】図１０の処理の流れの一部を変更したフローチャート。
【図１３】図１１の処理の流れの一部を変更したフローチャート。
【図１４】画像読み込みソフトウェアによる処理の流れを示すフローチャート。
【図１５】図８のデジタルカメラにおける処理の流れを示すフローチャート。
【図１６】図１５のデジタルカメラで撮影した画像を鑑賞するための画像鑑賞装置における処理の流れを示すフローチャート。
【符号の説明】
【０１０５】
１００、１００Ａ……デジタルカメラ
１０、９１……………第１の撮影部
１５……………………シャッタ釦
２０、９３……………第２の撮影部
３１、９２……………液晶表示部
３２……………………記録部
５１……………………顔認識部
５２……………………顔データベース部
９０……………………カメラ付き携帯電話
４１０…………………第１ホルダ
４２０…………………第２ホルダ
５００…………………大容量記録部
５１０…………………第１蓄積ホルダ
５１１、５１２………サブ蓄積ホルダ
５２０…………………第２蓄積ホルダ
６００…………………画像表示部画面
６１０…………………画像表示領域
６２０…………………属性情報表示領域
６２１…………………撮影者画像表示領域
６３０…………………操作指示欄
６４０…………………ホルダ図形
６５０…………………消去釦
【図１】
2007110261.tif 000003
【図２】
2007110261.tif 000004
【図３】
2007110261.tif 000005
【図４】
2007110261.tif 000006
【図５】
2007110261.tif 000007
【図６】
2007110261.tif 000008
【図７】
2007110261.tif 000009
【図８】
2007110261.tif 000010
【図９】
2007110261.tif 000011
【図１０】
2007110261.tif 000012
【図１１】
2007110261.tif 000013
【図１２】
2007110261.tif 000014
【図１３】
2007110261.tif 000015
【図１４】
2007110261.tif 000016
【図１５】
2007110261.tif 000017
【図１６】
2007110261.tif 000018